(57)【要約】      （修正有）【課題】改善された印刷画像を有する、印刷された弾性積層体の製造方法を提供する。【解決手段】印刷された弾性積層体の製造方法に関する。該方法によれば、弾性フィルム１は細長い片２に切断され、これらは二つの表層５、６間で互いに隣り合わせて積層され、そしてこのように形成された積層体７は、該積層された細長い片２によって、ウェブに対して横方向に弾性となった領域８において延伸される。本発明によれば、弾性フィルム１上にモチーフが印刷され、これは、細長い片２がフィルム１から裁断される前に、積層体７のテキスタイル表層５、６を介して可視である。【選択図】図１
2014218081.tif 000002
【特許請求の範囲】
【請求項１】
弾性フィルム（１）を細長い片（２）に切断し、
該細長い片（２）を二つの表層（５、６）の間で互いに隣り合わせて積層させ、そして  領域（８）の中で積層された該細長い片（２）によってウェブの横方向において弾性となる、その領域（８）中で、そのように構成された積層体（７）を延伸させる、
印刷された、弾性積層体の製造方法であって、
前記弾性フィルム（１）に、それが細長い片（２）に切断される前に、前記積層体（７）のテキスタイルの表層（５、６）を介して可視できるモチーフが印刷されることを特徴とする、上記の方法。
【請求項２】
該弾性フィルム（１）のウェブの方向に延びる着色された平行な細長い片で形成された縞模様のモチーフが前記弾性フィルム（１）に印刷されることを特徴とする、請求項１に記載の方法。
【請求項３】
前記弾性フィルム（１）がフレキソ印刷によって印刷されることを特徴とする、請求項１又は２に記載の方法。
【請求項４】
前記弾性フィルム（１）がグラビア印刷又はデジタル印刷によって印刷されることを特徴とする、請求項１又は２に記載の方法。
【請求項５】
前記印刷の前に、前記弾性フィルム（１）を、ウェブの方向を横切って延伸させ、そして弾性引き戻し後に印刷することを特徴とする請求項１〜４のいずれか一つに記載の方法。
【請求項６】
前記弾性フィルム（１）が、該弾性フィルム（１）の延伸前の開始幅（Ｂ１）よりも、１０％〜３０％大きい弾性引き戻し後に幅（Ｂ２）を有するように、ウェブの方向を横切って５０％超拡張されることを特徴とする、請求項５に記載の方法。
【請求項７】
前記弾性フィルム（１）及び／又は積層体（７）を延伸させるために、相互にかみ合うプロフィルローラーからなるストレッチローラー装置が使用されることを特徴とする、請求項１〜６のいずれか一つに記載の方法。
【請求項８】
前記弾性フィルム（１）として、ポリオレフィンエラストマーから製造されたフィルムが使用されることを特徴とする、請求項１〜７のいずれか一つに記載の方法。
【請求項９】
前記弾性フィルム（１）として、スチレン−イソプレン−スチレン−ブロックコポリマー、スチレン−エチレン−ブチレン−スチレン−ブロックコポリマー、ポリウレタン、エチレン−コポリマー又はポリエーテルブロックアミドから製造されたエラストマーコア層を有する単層又は多層フィルムが使用されることを特徴とする、請求項１〜８のいずれか一つに記載の方法。
【請求項１０】
前記細長い片（２）が、偏向器（３）にわたって誘導され、そして、平行な細長い片（４）としてラミネーターに供給され、該ラミネーターの内部で、該細長い片（２）が、テキスタイル表層（５、６）間で積層されることを特徴とする、請求項１〜９のいずれか一つに記載の方法。
【請求項１１】
前記弾性の細長い片（２）が、前記表層（５、６）の間で違いに離間して積層されて、前記積層体（７）の中に弾性領域及び非弾性領域（８、９）を形成させることを特徴とする、請求項１〜１０のいずれか一つに記載の方法。
【発明の詳細な説明】
【技術分野】
【０００１】
本発明は、印刷された弾性積層体の製造方法に関する。
【背景技術】
【０００２】
本発明は、二つのテキスタイル表層間で相互に隣り合って積層されて、積層体を形成する弾性フィルムを細長い片に切断する方法であって、該積層体が、細長い片によって弾性になった領域において、ウェブ方向に対して横方向に延伸される、該方法に基づく。その横方向における延伸はまた、メカニカル活性化とも呼ばれ、材料のウェブの方向に対する横方向（ＣＤ方向）における積層体の弾性特性を向上させる。
【０００３】
テキスタイル表層は、不織材料、織物材料又は編み物材料から製造することができる。細長い片は、十分な量の弾性重合体（ｅｌａｓｔｏｍｅｒｉｃ  ｐｏｌｙｍｅｒ）を含有する単層又は多層に構成することができる。細長い片は、それらの表層に接着又は溶接される。積層体からなる衛生製品のための弾性要素、特に、弾性の中間領域及びそれに隣接するより弾性の小さい端部を有するおむつのための閉包型の弾性の細長い片に、ダイカットできる。その端部は弾性でないか、又は弾性が小さく、例えば、面ファスナーテープのような、フック−ループ型ファスナー要素を閉じるのに、及びおむつの弾性要素を非弾性領域に取り付けるのに使用される。積層体は、幅広いウェッブとして製造され、これは、複数の積層された弾性の細長い片を含む。それから、得られた多目的材料からおむつを製造するのに必要な閉包型の細長い片をダイカットすることが可能となる。
【０００４】
上述したこの種の方法は、例えば、欧州特許第１６８６２０９号（特許文献１）から知られている。
【０００５】
国際公開第２０１１／０４５６８５号パンフレット（特許文献２）は、弾性の閉じ要素（ｅｌａｓｔｉｃ  ｃｌｏｓｕｒｅ  ｅｌｅｍｅｎｔ）及び非弾性のおむつ部分から製造された、印刷されたおむつの製造方法を開示している。その弾性の閉じ要素並びに非弾性おむつ部分は、テキスタイル表層及びフィルムライナー又はフィルム支持体を含む積層体から形成される。おむつの弾性の閉じ要素並びに非弾性部分は、弾性領域及び非弾性領域の縁部において、全体の画像が均一かつ魅力的になるように調和した印刷画像の印象を備える。
【０００６】
国際公開第２００８／０７０１３１号パンフレット（特許文献３）もまた、印刷された、弾性部分及び非弾性部分を有するおむつであって、それぞれの部分おいて印刷された画像が互いに統一されたモチーフを形成するように補完可能な、該おむつを開示している。
【先行技術文献】
【特許文献】
【０００７】
【特許文献１】欧州特許第１６８６２０９号
【特許文献２】国際公開第２０１１／０４５６８５号パンフレット
【特許文献３】国際公開第２００８／０７０１３１号パンフレット
【発明の概要】
【発明が解決しようとする課題】
【０００８】
しかしながら、上述した方法を用いて積層体の上に画像を印刷することに関する課題に対して、今日まで満足のいく解法が得られていない。積層体を製造するのに、予め印刷されたテキスタイル表層が使用される場合、積層体のメカニカル活性の間、及び消費者によって後日使用されている間に、繊維の引裂及び移動によって少なくとも部分的にテキスタイル表層に予め施用される、印刷された画像が破壊されるという問題がある。さらに、表層と弾性の細長い片との印刷された画像の位置合わせに関する問題が追加されるおそれがある。
【０００９】
フィルムを細長い片に切断する間にも、また、積層の間にも、ウェブの様々な応力がそれら細長い片に移動するという事実を考慮すべきであり、このことにより細長い片の幅が変化する。要素が、印刷幅全体にわたって分布するランダムに印刷されたモチーフから形成された印刷画像を有する場合、弾性の細長い片と印刷画像との位置合わせのエラーがしばしば顕著となり得る。しかしながら、例えば、縞のモチーフなどが印刷された細長い片で弾性部分を形成した場合において、積層体から製造された弾性要素を、使用の間、例えば、おむつを閉じている間、広範にわたって延伸させると、その弾性領域では、細長い片と印刷モチーフとの間の光学的不正確さは解消される。
【課題を解決するための手段】
【００１０】
この背景を鑑みて、本発明の目的は、上述の方法によって製造された弾性の積層体上の印刷された画像の外観を改善することである。
【００１１】
本発明の目的及び弾性の積層体の製造を改善するという目的を達成するための解放は、請求項１に記載の方法に対応している。
【００１２】
本発明によれば、細長い片に切断される前に、積層体のテキスタイル表層を介して可視できるように作製されたモチーフで弾性フィルムが印刷される。すでに印刷された積層体を用いても、弾性フィルムには印象が設けられるという事実により、印刷されたモチーフの積層体の弾性領域に対する正確な位置合わせは、常に確保される。本発明における利点は弾性の細長い片が延伸されたとき、印刷された画像はその片に沿って、一様に、かつ、可逆的に延伸するという事実にある。さらに、印刷されたモチーフは、積層体の全面及び背面から、例えば、不織テキスタイルの表層を介して、その積層体が、前面からも背面からも、光学的に等しく魅力的であるように目で見ることができる。例えば、弾性フィルムは、その弾性フィルムのウェブの方向に延びる、平行で、着色された縞からなる細長いモチーフで印刷することができる。
【００１３】
弾性フィルムを印刷するのに公知の連続印刷法が使用できる。高速ウェブの弾性フィルムの印刷を可能にする、輪転印刷法が好ましい。最終的な目標は、約４００ｍ／分のウェブ速度である。グラビア印刷法及びフレキソ印刷法は有利なプロセスであり、フレキソ印刷法は、複数の表色系に一つの中心シリンダーを用いることができることから、フレキソ印刷法が特に好ましい。静的媒体を用いずに印刷画像をコンピューターから印刷機に転送するデジタル印刷は除外されない。特に、インクジェット印刷法は、インキの小滴を偏向させて印刷画像を生成させることが考慮される。
【００１４】
本発明の好ましい実施形態によれば、印刷プロセスの前に、弾性フィルムは、ウェブの方向を横向きに延伸され、次いで、弾性が引き戻された後に印刷され、その後、細長い片に切断される。弾性フィルムの延伸は、積層体の層の機械的な予備活性化を構成し、そして積層体の改善された延伸挙動をもたらす。弾性フィルムの予備活性化は、拡張力に関して、そして、弾性フィルムの予備活性化によって決定される拡張限界において好ましい影響を及ぼし、そして、大きな領域にわたって積層体の延伸作用を容易にし、そしてその後、拡張抵抗は著しく増大する。緊張が取り除かれた後の積層体の戻りの挙動もまた、弾性フィルムが、それが積層体に積層される前に横方向に延伸されることによって予備活性化される場合に改善することができる。弾性フィルムの予備活性化のいずれも、積層体の機械的活性と置き換えることはできず、これを補うことができるだけである。弾性フィルムが予備活性化される場合でさえ、弾性の積層された細長い片で構成される領域において、ウェブの方向を横向きに延伸させることが依然として必要である。
【００１５】
本発明による方法の好ましい実施形態は、弾性フィルムが、５０％超ウェブの横方向に延伸され、そして、その弾性フィルムが延伸される前の開始時の幅よりも１０％〜３０％大きい幅を拡張が戻された後に有することを提供する。“延伸”という語は、拡張が完全に可逆的ではなく、拡張が戻された後にフィルムがより大きな幅を有する結果となる塑性変形がいくぶんあるという事実に関わらずに用いられる。積層体の後の活性化は、テキスタイル表層の構造に影響を及ぼす。一方、予備活性化した弾性フィルムの横方向での延伸は、多くの部分において可逆的である。予備活性化された弾性フィルム付与された印刷画像は、それゆえ、その後の積層体の活性化の間、それ以上不利な変化を経ることはない。それに応じて、弾性フィルムだけが、予備活性化後に印刷され、その間、弾性フィルムが横方向に拡張され、そしてその後拡張から開放される場合、弾性の積層体上の印刷画像の品質を向上させることができる。
【００１６】
弾性フィルム及び／又は積層体の延伸作用のために、相互にかみ合うプロフィルローラーのストレッチローラー装置を使用することができる。
【００１７】
好ましくは、弾性フィルムとしてポリオレフィンエラストマーが使用される。ポリオレフィンエラストマーベースの弾性フィルムを使用する場合、その弾性フィルムの予備活性化は特に有利である。
【００１８】
さらに、弾性フィルムとして、スチレン−イソプレン−スチレン−ブロックコポリマー（ＳＩＳ）、スチレン−ブタジエン−スチレン−ブロックコポリマー（ＳＢＳ）、スチレン−エチレン−ブチレン−スチレンブロックコポリマー（ＳＥＢＳ）、ポリウレタン、エチレン−コポリマー又はポリエーテルブロックアミドの材料から製造されたエラストマーコア層を有する単層又は多層フィルムを使用することもできる。
【００１９】
予備活性化及び印刷後、弾性フィルムは細長い片に切断される。それらの細長い片は、偏向器にわたって誘導され、そして、平行な細長い片としてラミネーターに供給され、該ラミネーターの内部で、該細長い片は、テキスタイル表層間で積層される。弾性の細長い片は、相互に離間して横向きに配置される。細長い片の間の横方向における間隔は、偏向器の位置によって調整できる。弾性の細長い片の間の空隙では、表層が直接相互に接合される。弾性の細長い片の間に積層されて、それら弾性の細長い片の間の空隙を補強する、補強用の細長い片を使用することも、本発明の範囲内にある。そのため、積層体の内部は、弾性領域及び非弾性領域で構成することができる。
【図面の簡単な説明】
【００２０】
【図１】本発明の印刷された弾性積層体の製造方法を図式的に示す図である。
【発明を実施するための形態】
【００２１】
以下で、例示の実施形態を参照して本発明をより詳細に説明する。この唯一の図は、印刷された弾性積層体の製造方法を図式で示している。
【００２２】
図に示す方法により、弾性フィルム１は細長い片２に切断され、それは、偏向器３にわたって誘導され、そして平行の細長い片としてラミネーター４に供給される。細長い片２は、積層方向４において、細長い片２に上と下から供給されるテキスタイル表層５及び６の間で積層される。細長い片２及びテキスタイル表層５及び６は、互いに接着されるか又は熱によって互いに接合される。図では、弾性の細長い片２が、表層５及び６の間で違いに離間して積層されること、及び該テキスタイル表層５及び６が、弾性の細長い片２の間の空隙において互いに直接接合されていることが示されている。このように、弾性領域８及び１０、並びに、非弾性領域９は積層体７の中に形成される。積層体は、次いで、アクチベーター１０に供給され、そこで、積層体７は領域８において横方向に延伸されて、積層された細長い片２によってウェブの方向に対して弾性となる。積層体７を延伸させるために、相互にかみ合うプロフィルローラーを有するストレッチローラー装置が使用される。延伸により、テキスタイルの表層構造が変更され、そして積層体７のＣＤ方向における拡張特性が改善される。活性化後、積層体は、ＣＤ方向において、該活性化によって決定された拡張限界まで、最小限の力で容易に拡張可能となる。
【００２３】
テキスタイル表層５及び６は、特に、不織布から製造され、織布又は編み地も可能である。単層又は多層のエラストマーフィルムを、スチレン−イソプレン−スチレン−ブロックコポリマー、スチレン−ブタジエン−スチレン−ブロックコポリマー、スチレン−エチレン−ブチレン−スチレンブロックコポリマー、ポリウレタン、エチレン−コポリマー又はポリエーテルブロックアミドから製造されたエラストマーコア層を有する弾性フィルム１として使用できる。ポリオレフィンエラストマーから製造された弾性のインフレーションフィルムが好ましい。
【００２４】
上記のフィルムを細長い片２に切断する前に、印刷ステーション１１で、該弾性のフィルム１に、積層体７のテキスタイル表層５及び６を通して可視できるモチーフを印刷する。印刷は、輪転印刷法、特にフレキソ印刷法によって好ましく遂行される。印刷されたモチーフは、例えば、ウェブの弾性フィルムの長手方向に延びる平行で着色された平行な縞から形成された縞のモチーフであることができる。
【００２５】
印刷前に、弾性フィルム１は、ウェブの横方向に、５０％超延伸される。好ましくは、弾性フィルムの開始の幅に対して１００％〜５００％の拡張が実行される。弾性が引き戻された後、弾性フィルム１は幅Ｂ２を有し、該幅は、弾性フィルムの開始の幅Ｂ１よりも１０％〜３０％大きい。引き戻し後、弾性フィルム１は印刷され、そして続いて細長い片２に切断される。弾性フィルム１の拡張及び／又は延伸は、予備活性化を構成する。弾性フィルムの予備活性化は、積層体７の拡張値に関連して非常に有利である。弾性フィルム１を印刷プロセス前に予備活性化することにより、弾性の積層体７の印刷画像を改善することも可能となる。というのも、これは、積層体の延伸の間、積層体に沿って印刷画像が一様にかつ可逆的に拡張し、そして、活性化装置１０における弾性フィルム１の予備活性化によって、積層体７が延伸後に完全にリセットされるからである。
【図１】
2014218081.tif 000003
【外国語明細書】
2014218081000001.pdf